(57)【要約】【課題】複数の色で同時に発光して多様で装飾性に富む光装飾装置を提供する。【解決手段】導光板３と、導光板３の端面に配列されて異なる発光色で発光可能な複数の発光体を有するカラー光源４と、複数の発光体の発光パターンを規定した標準パターンデータを記憶するＲＡＭから標準パターンデータを読み出すと共に標準パターンデータによって規定された発光パターンに従って複数の発光体の輝度を制御することにより導光板３の表面に現れる色の配色およびその各色の位置の少なくとも一方を連続的に変化させる制御基板５とを備えている。【選択図】　　　　図１
2004079445.tif 000002
【特許請求の範囲】
【請求項１】
導光板と、当該導光板の端面に配列されて異なる発光色で発光可能な複数の発光体と、当該複数の発光体の発光パターンを規定した標準パターンデータを記憶する記憶部と、当該記憶部から前記標準パターンデータを読み出すと共に当該標準パターンデータによって規定された前記発光パターンに従って前記複数の発光体の輝度を制御することにより前記導光板の表面に現れる色の配色およびその各色の位置の少なくとも一方を連続的に変化させる制御部とを備えている光装飾装置。
【請求項２】
各種感性イメージに対応させた選択スイッチを備え、
前記記憶部は、前記各感性イメージに適合させた前記標準パターンデータを複数記憶し、
前記制御部は、前記選択スイッチによって選択された前記感性イメージに適合する前記標準パターンデータを前記記憶部から読み出して、当該標準パターンデータによって規定された前記発光パターンに従って前記各発光体の輝度を制御する請求項１記載の光装飾装置。
【請求項３】
生理的計測によって人の生理的特徴量を取得する計測部を備え、
前記記憶部は、各配色に対して人が受ける標準的な感性イメージを当該各配色に対応させた色イメージデータベース、および当該感性イメージに対する人の標準的な前記生理的特徴量を当該各感性イメージに対応させた感性データベースを記憶し、
前記制御部は、前記選択スイッチによって選択された前記感性イメージに適合する前記標準パターンデータによって規定された前記発光パターンに従って前記発光体の輝度を制御して前記少なくとも一方を連続的に変化させつつ、前記導光板による光装飾に応じた人の前記生理的特徴量を前記計測部に対して測定させると共に、前記選択された感性イメージに対応する前記標準的な生理的特徴量を前記感性データベースを参照して特定し、前記測定された生理的特徴量と前記特定した標準的な生理的特徴量とが一致または同等となるように前記色イメージデータベースに基づいて当該標準パターンデータを補正する請求項２記載の光装飾装置。
【請求項４】
空気を脱臭する脱臭機を備えている請求項１から３のいずれかに記載の光装飾装置。
【発明の詳細な説明】
【０００１】
【発明の属する技術分野】
本発明は、導光板の表面に現れる色の配色およびその各色の位置の少なくとも一方を連続的に変化させる光装飾機能を備えた光装飾装置に関するものである。
【０００２】
【従来の技術】
この種の光装飾機能を有する機器として、特開平５−１３７６２５号に開示されたキャビネットが知られている。このキャビネット（６）は、天板（１）、地板（２）、左右側板（３），（４）、背板（５）のうち少なくとも１つが導光板（７）で構成され、導光板（７）に光を供給して導光板（７）を発光させるための照明器具（８）を備えている。この場合、照明器具（８）のランプ（８ａ）は、導光板（７）の端部に対向させて配設されている。また、照明器具（８）のランプ（８ａ）は、回転自在なフィルタ筒（１９）によって囲まれている。また、フィルタ筒（１９）は、複数の異なる色の色フィルタ部（１９ａ），（１９ｂ），（１９ｃ），・・・によって周方向に分割され、操作部（２８）によって回転自在に構成されている。
【０００３】
以上の構成により、このキャビネット（６）では、照明器具（８）のランプ（８ａ）を点灯させて導光板（７）を発光させることで、キャビネット（６）の内面の少なくとも一面を直接発光させ、これにより、内部に収納した収納物を効果的に光で照らし出して、光装飾効果を高めることができる。さらに、操作部（２８）を操作してフィルタ筒（１９）を回転させることにより、導光板（７）の発光色を選択してキャビネット６内の色彩を自由に変化させることができる。
【０００４】
【発明が解決しようとする課題】
ところが、このキャビネット（６）には、以下の問題点がある。すなわち、このキャビネット（６）では、フィルタ筒（１９）の回転によって導光板（７）の発光色を自由に変化させることができるものの、異なる色に設定された色フィルタ部（１９ａ），（１９ｂ），（１９ｃ），・・・をランプ（８ａ）の周方向に沿って分割した構成のため、発光色が色フィルタ部（１９ａ），（１９ｂ），（１９ｃ），・・・の色に限定され、しかも導光板（７）の各部位が常に同色かつ同輝度で発光する。このため、導光板（７）の発光パターンが固定的で変化しない結果、装飾性に欠けるという問題点がある。
【０００５】
一方、近年では、光の色や照明の仕方により、人の気分を落ち着かせたり、癒したり、楽しくさせたりできることが分かってきている。また、配色（色の取り合わせ）の種類によって人の気分を落ち着かせたり、癒したり、逆に高揚させたりできるといった効果の存在も認められてきており、近年では、どのような配色が人の気分や体にどのように作用するかといった研究も進んでいる。例えば、寒色系の配色は気分や体をリラックスさせ、暖色系の配色は気分や体を活動的にさせるといった効果があることが分かってきている。しかしながら、発光パターンが少なく、しかも単色でしか発光しないキャビネット（６）では、このような効果を期待することができないという問題点もある。
【０００６】
本発明は、かかる問題点に鑑みてなされたものであり、複数の色で同時に発光して多様で装飾性に富む光装飾装置を提供することを主目的とする。また、人の気分に合わせた配色で発光し得る光装飾装置を提供することを他の目的とする。
【０００７】
【課題を解決するための手段】
上記目的を達成すべく請求項１記載の光装飾装置は、導光板と、当該導光板の端面に配列されて異なる発光色で発光可能な複数の発光体と、当該複数の発光体の発光パターンを規定した標準パターンデータを記憶する記憶部と、当該記憶部から前記標準パターンデータを読み出すと共に当該標準パターンデータによって規定された前記発光パターンに従って前記複数の発光体の輝度を制御することにより前記導光板の表面に現れる色の配色およびその各色の位置の少なくとも一方を連続的に変化させる制御部とを備えている。
【０００８】
また、請求項２記載の光装飾装置は、請求項１記載の光装飾装置において、各種感性イメージに対応させた選択スイッチを備え、前記記憶部は、前記各感性イメージに適合させた前記標準パターンデータを複数記憶し、前記制御部は、前記選択スイッチによって選択された前記感性イメージに適合する前記標準パターンデータを前記記憶部から読み出して、当該標準パターンデータによって規定された前記発光パターンに従って前記各発光体の輝度を制御する。
【０００９】
さらに、請求項３記載の光装飾装置は、請求項２記載の光装飾装置において、生理的計測によって人の生理的特徴量を取得する計測部を備え、前記記憶部は、各配色に対して人が受ける標準的な感性イメージを当該各配色に対応させた色イメージデータベース、および当該感性イメージに対する人の標準的な前記生理的特徴量を当該各感性イメージに対応させた感性データベースを記憶し、前記制御部は、前記選択スイッチによって選択された前記感性イメージに適合する前記標準パターンデータによって規定された前記発光パターンに従って前記発光体の輝度を制御して前記少なくとも一方を連続的に変化させつつ、前記導光板による光装飾に応じた人の前記生理的特徴量を前記計測部に対して測定させると共に、前記選択された感性イメージに対応する前記標準的な生理的特徴量を前記感性データベースを参照して特定し、前記測定された生理的特徴量と前記特定した標準的な生理的特徴量とが一致または同等となるように前記色イメージデータベースに基づいて当該標準パターンデータを補正する。
【００１０】
また、請求項４記載の光装飾装置は、請求項１から３のいずれかに記載の光装飾装置において、空気を脱臭する脱臭機を備えている。
【００１１】
【発明の実施の形態】
以下、添付図面を参照して、本発明に係る光装飾装置の好適な発明の実施の形態について説明する。
【００１２】
光装飾装置１は、図１，２に示すように、ケース本体２、一対の導光板３，３、カラー光源４、制御基板５、操作パネル６、脱臭機７、ケース本体２における下部の両側面に配設された一対の脚部８，８、空気フィルタ９および計測部１０を備えている。
【００１３】
ケース本体２は、図１に示すように、扁平な箱体状に形成されている。また、ケース本体２は、導光板３，３が収容される上側部分が少なくとも光透過性部材（本実施の形態では、アクリル樹脂材）２ａによって構成されている。この光透過性部材２ａは、導光板３，３によって発せられる光を拡散させるための光拡散処理がその表面に施されている。また、ケース本体２の上端面には、吸気孔２ｄ，２ｄ・・・が複数開口されている。さらに、ケース本体２の上部には、吸気孔２ｄ，２ｄ・・・から取り込まれた空気中の塵や埃等を除去するための空気フィルタ９が装着されている。また、ケース本体２の下側部分における正面および背面には、排気孔２ｂ，２ｂ・・・が複数開口されている。また、ケース本体２の内部空間は、中空に形成され、図２，３に示すように、吸気孔２ｄ，２ｄ・・・を介して取り込んだ空気を排気孔２ｂ，２ｂ・・・まで導く流路ＰＡとして機能する。
【００１４】
一対の導光板３，３は、アクリル樹脂やガラス等の透明な材料を用いて同一形状（一例として長方形の板状）に形成されている。また、一対の導光板３，３は、図２に示すように、相互間に若干隙間を空けるかまたは密着させた状態（本実施の形態では若干隙間を空けた状態）で、光透過性部材２ａによって形成されたケース本体２の上部側内部に収容されている。また、各導光板３，３は、光透過性部材２ａと対向する各々の表面３ａに多数の凹凸が連続的に形成されることによってこの表面３ａが拡散面に形成されている。また、各導光板３，３は、互いに対向する面（裏面）３ｂに反射層が形成されて、発光した光を効率よく光透過性部材２ａ側に出射するように構成されている。
【００１５】
カラー光源４は、異なる発光色で発光可能な複数の発光体（例えば発光ダイオード）と、これらの発光体を輝度制御する駆動回路（図示せず）とで構成されている。この場合、異なる発光色で発光可能な複数の発光体は、一例として、図３に示すように、赤色発光ダイオードＬｒ、緑色発光ダイオードＬｇおよび青色発光ダイオードＬｂ（以下、特に区別しないときには「発光体Ｌ」ともいう）の３種類を１組として構成され、各発光体Ｌの輝度が制御されることによって任意の色で発光する。また、これらの各発光ダイオードＬは、図３に示すように、一例として、一列に並べられて各導光板３，３の下端部に配設されて、各発光体Ｌによって発せられた光が各導光板３，３の下端部から各導光板３，３内に入光するように構成されている。また、発光体Ｌを駆動する駆動回路は、制御基板５によって出力された後述する標準パターンデータＤｓｔおよび変化時間データＤｔｍを入力して、これらのデータＤｓｔ，Ｄｔｍに基づいて各発光体Ｌの輝度が所定の周期で変化するように駆動する。
【００１６】
制御基板５は、図３に示すように、ケース本体２の下部側内部における壁部２ｃ，２ｃによって流路ＰＡと区画された２つの領域の内の一方に収容されている。この制御基板５には、図４に示す制御部としてのＣＰＵ１１、記憶部としてのＲＡＭ１２およびＲＯＭ１３、カラー光源４および操作パネル６に対するインターフェース回路を構成する電子部品（図示せず）、脱臭機７を駆動する駆動回路を構成する電子部品（図示せず）、並びに計測部１０を構成する一部の電子部品（図示せず）が実装されている。
【００１７】
ＲＡＭ１２は、各発光体Ｌの発光パターンを規定した標準パターンデータＤｓｔを複数記憶する。この場合、この複数の標準パターンデータＤｓｔは、人が持つ（抱く）各種の感性イメージにそれぞれ適合させられている（具体的には、感性イメージに対応させて操作パネル６に設けられている各選択スイッチに対応させられている）。本実施の形態では、一例として、人の気分や体を落ち着かせる「エレガント」という言葉で表現される感性イメージに適合した標準パターンデータＤｓｔ、人の気分や体を爽快にさせる「クリア」という言葉で表現される感性イメージに適合した標準パターンデータＤｓｔ、および人の気分や体を活発にさせる「ダイナミック」という言葉で表現される感性イメージに適合した標準パターンデータＤｓｔの３種類がＲＡＭ１２に記憶されている。
【００１８】
また、ＲＡＭ１２には、配色と、この配色を見たときに人が受ける標準的な感性イメージとを対応させた色イメージデータベースが記憶されている。この場合、この感性イメージとしては、上記した「エレガント」、「クリア」、「ダイナミック」以外にも、「ナチュラル」、「カジュアル」、「ロマンチック」という言葉で表現されるイメージ等があり、これらの各感性イメージはさらに複数のより具体的な感性イメージに細分化されて、この細分化された感性イメージ毎に代表的な配色が存在することが知られている。例えば、「エレガント」という感性イメージには、「繊細な」および「おだやかな」等のより具体的な感性イメージが含まれている。ここで、「繊細な」という感性イメージを人に抱かせる標準的（代表的）な配色は、薄肌色、薄茶色および薄紫色の組み合わせであり、「おだやかな」という感性イメージを人に抱かせる代表的な配色は、薄肌色、茶色および灰色の組み合わせである。同様にして、「クリア」という感性イメージには「さわやかな」および「清潔な」等が、また「ダイナミック」という感性イメージには「活動的な」および「行動的な」等が、また「ナチュラル」という感性イメージには「やすらかな」および「マイルドな」等が、また「カジュアル」という感性イメージには「楽しい」および「はれやかな」等が、また「ロマンチック」という感性イメージには「やわらかい」および「可憐な」等が、より具体的な感性イメージとして含まれており、これらの具体的な感性イメージ毎に標準的（代表的）な配色が特定されている。これらの詳細については、「カラーイメージスケール」（著者：小林重順、発行所：講談社、発行日：１９９０年５月３１日）に記載されている。この色イメージデータベースは、上記した細分化された感性イメージと、この感性イメージ毎に特定される配色とで構成されている。
【００１９】
また、ＲＡＭ１２には、各標準パターンデータＤｓｔに対応する各感性イメージを人が抱いたときの各標準生理的特徴量（各感性イメージを受けているときの標準的な各生理的特徴量）をこの各感性イメージにそれぞれ対応させた感性データベースが記憶されている。ここで、生理的特徴量とは、心拍数（脈拍数）、血流量、血圧値、体温、発汗量、呼吸数、筋電図、心電図、脳波、眼球運動（眼球の運動状態）などをいい、本実施の形態では、一例として、計測が容易な心拍数（脈拍数）、血流量、血圧値、体温および発汗量を生理的特徴量として規定している。したがって、感性データベースは、「エレガント」、「クリア」および「ダイナミック」という感性イメージをそれぞれ受けているときの上記した各生理的特徴量の標準的な値（各標準生理的特徴量）が、その「エレガント」等の各感性イメージに対応付けられて構成されている。また、ＲＡＭ１２には、変化時間データＤｔｍが、「エレガント」、「クリア」および「ダイナミック」の感性イメージに対応させられて記憶されている。この場合、変化時間データＤｔｍは、例えば、各感性イメージを一層効果的に人に抱かせるために、その配色における各色の位置を所定の周期で変化させるためのデータであって、各発光体Ｌの輝度を変化させる際のその各輝度およびその輝度で点灯させる時間を規定する。具体的には、「エレガント」という感性イメージに対応する変化時間データＤｔｍは、例えば、配色（一例として、薄肌色、薄茶色および薄紫色）における各色の位置（つまり、各色で形成される縦縞模様）を非常にゆっくりとした周期（例えば、２０〜３０秒に１回程度の周期）で入れ替え表示可能に設定され、「ダイナミック」に対応する変化時間データＤｔｍは、配色の位置を速い周期（例えば、１秒に１回程度の周期）で入れ替え表示可能に設定され、「クリア」に対応する変化時間データＤｔｍは、これらの中間の周期で入れ替え表示可能に設定されている。
【００２０】
ＲＯＭ１３は、ＣＰＵ１１の動作を規定するためのプログラムを記憶する。計測部１０は、人体に装着されて人体の各生理的特徴量を検出するセンサ１０ａ（図１参照）と、センサ１０ａによって検出された各生理的特徴量をディジタルデータに変換してＣＰＵ１１に出力する処理回路（図示せず）とを備えて構成されている。この場合、センサ１０ａは、一例としてリストバンド型に形成されて、人体の生理的特徴量としての心拍数（脈拍数）、血流量、血圧値、体温および発汗量を測定する。
【００２１】
ＣＰＵ１１は、ＲＯＭ１３に記憶されたプログラムに基づいて作動して、光装飾装置１の各構成要素を制御する。操作パネル６は、ケース本体２の下部側表面に配置されて、複数の操作スイッチ６ａ（図１参照）を備えて構成されている。具体的には、操作スイッチ６ａとして、電源スイッチと、「エレガント」、「クリア」および「ダイナミック」といった各感性イメージに対応させられた複数（３個）の選択スイッチと、自動補正スイッチとを少なくとも備えている。
【００２２】
脱臭機７は、図３に示すように、吸気ファン７ａ、紫外線ランプ７ｂおよび光脱臭パネル７ｃを備えて構成され、ケース本体２の下部側内部に配設されている。この場合、吸気ファン７ａは、ケース本体２内の空気を上方から下方に向けて送風可能に配設されている。また、光脱臭パネル７ｃは、光透過性材料（ガラスやアクリル樹脂等）を用いて板状に形成された板材と、その表面に形成された酸化チタン膜（図示せず）とを備えて構成されている。また、紫外線ランプ７ｂは、光脱臭パネル７ｃの端面（一例として上端面）に配設され、紫外線を光脱臭パネル７ｃの光透過性材料で形成された板材内に出射可能に構成されている。これにより、光脱臭パネル７ｃでは、紫外線が照射された酸化チタン膜によってケース本体２内を通過する空気を脱臭する。
【００２３】
次に、光装飾装置１による光装飾処理について、図５，６を参照して説明する。
【００２４】
操作パネル６の電源スイッチが投入された際には、図５に示すように、ＣＰＵ１１は、まず、脱臭機７を作動させて、空気の脱臭処理を開始する（ステップ１００）。具体的には、ＣＰＵ１１は、脱臭機７の吸気ファン７ａを作動させると共に、紫外線ランプ７ｂを点灯させる。この結果、吸気ファン７ａの作動によってケース本体２の吸気孔２ｄ，２ｄ・・・から空気がケース本体２内に取り込まれ、取り込まれた空気は、空気フィルタ９によって浄化された後に、流路ＰＡ内を通って排気孔２ｂ，２ｂ・・・側に向かって移動し、光脱臭パネル７ｃの表面を通過する際に、紫外線が照射された酸化チタンによって脱臭される。したがって、排気孔２ｂ，２ｂ・・・からは、浄化されて、かつ脱臭された空気が排出される。
【００２５】
次いで、ＣＰＵ１１は、選択スイッチの操作有無を判別する（ステップ１０１）。いずれかの選択スイッチが操作されたと判別した場合、ＣＰＵ１１は、操作された選択スイッチ（選択された感性イメージ）に対応する標準パターンデータＤｓｔをＲＡＭ１２から読み出す（ステップ１０２）。また、ＣＰＵ１１は、操作された選択スイッチに対応する変化時間データＤｔｍもＲＡＭ１２から読み出す。例えば、気分をおだやかにしたいという要望に基づいて、「エレガント」に対応した選択スイッチが操作された場合、ＣＰＵ１１は、「エレガント」という感性イメージに適合した標準パターンデータＤｓｔをＲＡＭ１２から読み出す。この場合の変化時間データＤｔｍは、通常、「エレガント」という感性イメージに適合させて、ゆっくりと変化する周期に設定されている。次いで、ＣＰＵ１１は、読み出した標準パターンデータＤｓｔと変化時間データＤｔｍとをカラー光源４に出力する。この際に、カラー光源４は、入力した標準パターンデータＤｓｔに基づいて、変化時間データＤｔｍに応じた周期で各発光体Ｌの輝度を制御する（ステップ１０３）。これにより、導光板３は、各発光体Ｌの輝度が制御されることにより、選択された感性イメージに合致する配色における各色の位置が連続的に変化しつつ発光する。この光装飾装置１では、各導光板３，３の下端部に沿って各発光体Ｌが並んだ状態で配設されているため、各導光板３，３には、下方から上方に向かうに従って次第に明度が低下する縦縞模様の配色が現われ、この配色における各色の位置が変化時間データＤｔｍに規定された周期で変化する。
【００２６】
このように、この光装飾装置１によれば、操作パネル６に設けられた複数の選択スイッチの一つを選択して操作することにより、選択された選択スイッチに対応する感性イメージに合致する配色（つまり、複数の色）で各導光板３，３を発光させることができると共に、感性イメージに合致した（適した）周期で各導光板３，３に現れる各色の位置を変化させることができる。したがって、単色で発光する従来の構成とは異なり、多様で、しかも感性イメージと相関する装飾性に富んだ光装飾を実現することができる。また、光装飾装置１による光の装飾によって、「エレガント」、「クリア」および「ダイナミック」といった各感性イメージの中から選択した任意の感性イメージに対応した雰囲気に室内を維持することができると共に、光装飾装置１を見ている人の気分を選択した感性イメージに近づけることができる。また、脱臭機７を備えたことにより、光装飾装置１の設置場所における異臭を除去できるため、光装飾装置１を見る人の注意を光装飾装置１の光による装飾に集中させることができる。したがって、光装飾装置１による光装飾効果を一層引き立たせることができる。
【００２７】
次に、標準パターンデータＤｓｔを補正する処理について、図６を参照して説明する。
【００２８】
最初に、計測部１０のセンサ１０ａを図１に示すように手に取り付け、その状態において選択スイッチおよび自動補正スイッチを操作する。この際には、ＣＰＵ１１は、上記した動作と同様にして、脱臭機７を作動させて空気に対する脱臭処理を開始した（ステップ２００）後に、選択スイッチの操作有無を繰り返しチェックする（ステップ２０１）。ＣＰＵ１１は、いずれかの選択スイッチが操作されたと判別したときに、その選択スイッチ（選択された感性イメージ）に対応する標準パターンデータＤｓｔをＲＡＭ１２から読み出す（ステップ２０２）。同時に、上記したように、変化時間データＤｔｍもＲＡＭ１２から読み出す。
【００２９】
次いで、ＣＰＵ１１は、読み出した標準パターンデータＤｓｔおよび変化時間データＤｔｍをカラー光源４に出力する。この際に、カラー光源４は、入力した標準パターンデータＤｓｔに基づいて、変化時間データＤｔｍに基づく周期で各発光体Ｌの輝度を制御する。これにより、導光板３は、各発光体Ｌからの光に基づいて、選択された感性イメージに合致した配色で発光する（ステップ２０３）。
【００３０】
次いで、ＣＰＵ１１は、計測部１０に対して、発光する導光板３を見ている人の心拍数（脈拍数）、血流量、血圧値、体温および発汗量からなる生理的特徴量を測定する（ステップ２０４）。また、ＣＰＵ１１は、ＲＡＭ１２に記憶されている感性データベースを参照することにより、選択スイッチによって選択された感性イメージを受けているときの各標準生理的特徴量を読み出す（ステップ２０５）。次いで、ＣＰＵ１１は、測定された各生理的特徴量と読み出した各標準生理的特徴量とを比較することにより、測定された全ての生理的特徴量が、対応する標準生理的特徴量の範囲内か否かを判別する（ステップ２０６）。この光装飾装置１では、標準生理的特徴量は、例えば、測定された各生理的特徴量に対応させて予め規定した基準生理的特徴量（本発明における標準的な生理的特徴量）を中心とする所定の許容範囲幅に規定されている。したがって、本発明における「標準的な生理的特徴量と一致または同等」とは、測定された生理的特徴量がこの標準生理的特徴量の範囲内に入っていることを意味する。この場合、ＣＰＵ１１は、測定された全ての生理的特徴量が対応する標準生理的特徴量の範囲内のときには、一致していると判別し、少なくとも１つの生理的特徴量が対応する標準生理的特徴量の範囲から外れているときには、不一致と判別する。次いで、不一致と判別したときには、ＣＰＵ１１は、測定した全ての生理的特徴量が対応する標準生理的特徴量と一致するように、カラー光源４に出力した標準パターンデータＤｓｔを補正する補正処理を実施する（ステップ２０７）。
【００３１】
この補正処理では、ＣＰＵ１１は、最初に、対応する標準生理的特徴量に一致しない各生理的特徴量に関して、標準生理的特徴量に対するずれ方向と、ずれ量とを算出する。例えば、生理的特徴量が心拍数の場合、標準生理的特徴量としての標準心拍数よりも多いのか少ないのか（ずれ方向）を検出し、その差分（ずれ量）を算出する。次いで、ＣＰＵ１１は、対応する標準生理的特徴量に一致しない生理的特徴量の種類、その生理的特徴量毎の標準生理的特徴量に対するずれ方向およびずれ量、並びに選択スイッチによって選択された感性イメージの種類に基づいて、光装飾装置１を現在見ている人が抱いている感性イメージを判別する。例えば、選択スイッチによって選択された感性イメージが「エレガント」であり、一致しない生理的特徴量が心拍数と発汗量であり、「エレガント」のときの標準生理的特徴量に対してこれらの生理的特徴量が、共に多い方向に大幅にずれているときには、光装飾装置１を見ている人が、エレガントな気分（例えば、ゆったりとした気分）ではなく、どきどきしている状態であって、「ダイナミック」という感性イメージ寄りの感性イメージを抱いていると判別する。次いで、ＣＰＵ１１は、判別した感性イメージが、選択スイッチによって選択された感性イメージに近づくように、標準パターンデータＤｓｔを補正する。例えば、選択された感性イメージが「エレガント」であり、判別した感性イメージが「ダイナミック寄りのエレガント」または「ダイナミック」のときには、ＲＡＭ１２に記憶されている色イメージデータベースに基づいて（を参照して）、現在の標準パターンデータＤｓｔをより落ち着きのある配色や渋めの配色となるように補正する。つまり、現在選択されている感性イメージに対応する配色について、光装飾装置１を現在見ている人の気分をエレガントに近づけるべく、現在の配色からより落ち着きのある配色や渋めの配色に変更する。
【００３２】
この標準パターンデータＤｓｔに対する補正処理を実施した後、ＣＰＵ１１は、ステップ２０３に戻り、補正後の標準パターンデータＤｓｔをカラー光源４に出力する。この後、ＣＰＵ１１は、測定された全ての生理的特徴量と対応する標準生理的特徴量とが一致したと判別する（ステップ２０６）まで、上記ステップ２０３からステップ２０７を繰り返し実施する。
【００３３】
一方、ステップ２０６において、測定された全ての生理的特徴量と対応する標準生理的特徴量とが一致すると判別したときは、ＣＰＵ１１は、カラー光源４に現在出力している標準パターンデータＤｓｔを新たな標準パターンデータＤｓｔとしてＲＡＭ１２に記憶させて、標準パターンデータＤｓｔを更新する（ステップ２０８）。次いで、ＣＰＵ１１は、ステップ２０１に戻り、選択スイッチの操作有無を繰り返して検出する。
【００３４】
このように、この光装飾装置１によれば、ＣＰＵ１１が、選択スイッチの操作によって選択された感性イメージに適合する標準パターンデータＤｓｔを、計測部１０によって測定された人体の生理的特徴量とＲＡＭ１２に記憶されている感性データベースおよび色イメージデータベースとに基づいて自動的に補正することにより、光装飾装置１を使用する人毎に、各選択スイッチによって選択された感性イメージに一層適合するように各標準パターンデータＤｓｔを最適化することができる。したがって、光装飾装置１は、再度使用される際に、操作された選択スイッチに対応する感性イメージに合致する配色で迅速に光装飾を行うことができる。
【００３５】
なお、本発明は、上記した本発明の実施の形態に示した構成に限定されない。例えば、本発明の実施の形態では、一対の導光板３，３を使用して、ケース本体２における光透過性部材２ａの両面から光を出射する構成について説明したが、一枚の導光板３を使用して、ケース本体２の一面のみから光を出射する構成を採用することもできる。また、本発明の実施の形態では、各導光板３，３を長方形の板状に形成して、その下端部にカラー光源４を配設する構成について説明したが、カラー光源４をさらに各導光板３の上端部および側端部の少なくとも一方に配設する構成を採用することもできる。この構成によれば、各導光板３の各部に同時に表示できる色の種類を増加させることができるため、感性イメージに一層適合する表示形態で導光板３を発光させることができる。特に、各導光板３の側端部にもカラー光源４を配設した場合、下端部に配設されたカラー光源４から出射される光による縦縞模様と、側端部に配設されたカラー光源４から出射される光による横縞模様とで格子模様状に各導光板３を発光させることもでき、表示のバリエーションを一層増やすことができる。
【００３６】
さらに、操作パネル６にリセットスイッチを配設すると共に、各発光体Ｌの発光パターンを規定した標準パターンデータＤｓｔをＲＯＭ１３にも記憶させ、ＣＰＵ１１が、リセットスイッチの操作時に、ＲＯＭ１３から標準パターンデータＤｓｔを読み出して、ＲＡＭ１２に記憶されている標準パターンデータＤｓｔを書き換える構成を採用することもできる。この構成によれば、人毎に補正されてＲＡＭ１２に記憶されている標準パターンデータＤｓｔを簡単に初期状態に戻すことができる。また、本発明の実施の形態では、光装飾装置１に脚部８，８を設けて床上に起立させる構成を説明した、額状に形成して壁に掛けるようにすることもできるし、家具の一部に取り入れて構成することもできる。さらに、光装飾装置１では、発光ダイオードＬｒ，Ｌｇ，Ｌｂで発光体を構成しているが、本発明における発光体は、これに限らず、互いに異なる各種の単色で発光する複数の発光ダイオードを配設して、その各発光ダイオードに対して点滅制御（輝度制御）を行うことで発光体の発光色を変化させることができる。また、光装飾装置１では、配色における各色の位置を連続的に変化させる例について説明したが、本発明は、これに限らず、所定の１の配色から他の１の配色に連続的に変化させる（つまり配色自体の連続的な変化）こともできるし、１の配色内において各色の輝度（明度）を連続的に変化させることもできる。
【００３７】
また、本発明の実施の形態では、標準パターンデータＤｓｔを補正する例について説明したが、変化時間データＤｔｍについても、検出した生理的特徴量に基づいて補正することができる。具体的には、感性イメージに対応させて時間データベースを事前に作成してＲＡＭ１２に記憶させておき、ＣＰＵ１１が、選択スイッチの操作によって選択された感性イメージに適合する変化時間データＤｔｍを、計測部１０によって測定された人体の生理的特徴量とＲＡＭ１２に記憶されている時間データベースとに基づいて自動的に補正することにより、光装飾装置１を使用する人毎に、各選択スイッチによって選択された感性イメージに一層適合するように各変化時間データＤｔｍを最適化することができる。したがって、この構成によれば、再度使用される際に、配色における各色の位置を、操作された選択スイッチに対応する感性イメージに合致させた速度で連続的に変化させて光装飾を行うことができる。さらに、検出した生理的特徴量に基づいて標準パターンデータＤｓｔと変化時間データＤｔｍとを同時に補正することもできる。
【００３８】
【発明の効果】
以上のように、請求項１記載の光装飾装置によれば、制御部が記憶部から読み出した標準パターンデータによって規定された発光パターンに従って複数の発光体の輝度を制御して導光板の表面に現れる色の配色およびその各色の位置の少なくとも一方を連続的に変化させることにより、単色で発光する従来の構成とは異なり、複数の色で同時に発光して多様で装飾性に富む光装飾を実現することができる。
【００３９】
また、請求項２記載の光装飾装置によれば、制御部が選択スイッチによって選択された感性イメージに適合する標準パターンデータによって規定された発光パターンに従って各発光体の輝度を制御することにより、光装飾装置による光の装飾によって、光装飾装置を設置した場所を各感性イメージの中から選択した感性イメージに対応した雰囲気に維持することができると共に、光装飾装置を見ている人の気分を選択した感性イメージに近づけることができる。
【００４０】
また、請求項３記載の光装飾装置によれば、制御部が、選択スイッチによって選択された感性イメージに適合する標準パターンデータによって規定された発光パターンに従って発光体の輝度を制御しつつ、測定部に対して測定させた生理的特徴量と感性データベースを参照して特定した標準的な生理的特徴量とが一致または同等となるように色イメージデータベースに基づいて標準パターンデータを補正することにより、光装飾装置を使用する人毎に、各選択スイッチによって選択された感性イメージに一層適合するように各標準パターンデータを最適化することができる。したがって、光装飾装置を再度使用する際には、操作された選択スイッチに対応する感性イメージに合致する配色で迅速に光装飾を行うことができる。
【００４１】
さらに、請求項４記載の光装飾装置によれば、空気を脱臭する脱臭機を備えたことにより、光装飾装置を見る人の注意を光装飾装置の光による装飾に集中させることができる結果、光装飾装置による光装飾効果を一層引き立たせることができる。
【図面の簡単な説明】
【図１】本発明の実施の形態に係る光装飾装置１の斜視図である。
【図２】図１におけるＡ−Ａ線断面図である。
【図３】光装飾装置１の下部側の断面図である。
【図４】光装飾装置１のブロック図である。
【図５】光装飾装置１の光装飾処理を説明するためのフローチャートである。
【図６】光装飾装置１の他の光装飾処理を説明するためのフローチャートである。
【符号の説明】
１　光装飾装置
２　ケース本体
２ａ　光透過性部材
３　導光板
４　カラー光源
６　操作パネル
６ａ　操作スイッチ
７　脱臭機
７ｂ　紫外線ランプ
７ｃ　光脱臭パネル
１０　計測部
１０ａ　センサ
１１　ＣＰＵ１１
１２　ＲＡＭ１２
１３　ＲＯＭ１３
Ｄｓｔ　標準パターンデータ
Ｄｔｍ　変化時間データ
Ｌ　発光体
【図１】
2004079445.tif 000003
【図２】
2004079445.tif 000004
【図３】
2004079445.tif 000005
【図４】
2004079445.tif 000006
【図５】
2004079445.tif 000007
【図６】
2004079445.tif 000008